(57)【要約】【課題】電源コードを効率的に冷却することができる電気掃除機を提供する。【解決手段】掃除機本体１の前方に集塵室２を、後方に電動送風機３と、電源コード４を収納する電源コード収納室５と、前記掃除機本体１の外郭の後方の一部に形成した排気口６とを備え、前記電動送風機３と前記電源コード収納室５と前記排気口６を略直線上に配置すると共に、前記電動送風機３と前記電源コード収納室５を仕切る本体隔壁７に前記電動送風機３と前記電源コード収納室５を連通する孔９ａ、９ｂ、９ｃ、９ｄを構成し、前記電動送風機３からの排気風が前記孔９ａ、９ｂ、９ｃ、９ｄと、前記電源コード収納室５を経て前記排気口６から外部に排出されるようにしたもので、電動送風機３の排気流をスムーズにまた滞留させることなく電源コード収納室５へ流し、電源コード４をより効果的に冷却することができる。【選択図】図３
2016052419.tif 000002
【特許請求の範囲】
【請求項１】
掃除機本体の前方に設けた集塵室と、掃除機本体の後方に設けた電動送風機および電源コードを収納する電源コード収納室と、前記掃除機本体の外郭の後方の一部に形成した排気口とを備え、前記電動送風機と前記電源コード収納室と前記排気口を順番に前方から後方に向けて略直線上に配置すると共に、前記電動送風機と前記電源コード収納室を仕切る本体隔壁に前記電動送風機と前記電源コード収納室を連通する孔を複数形成し、前記電動送風機からの排気風が前記孔と、前記電源コード収納室を経て前記排気口から外部に排出されるようにした電気掃除機。
【請求項２】
電源コード収納室に電源コードを巻き取るためのコード巻取り装置を設け、前記コード巻取り装置の回転軸と電動送風機の中心軸とを平行に配置した請求項１に記載の電気掃除機。
【請求項３】
本体隔壁に形成した複数の孔の配列を、本体隔壁の下側よりも上側に多く配列させた請求項１または２に記載の電気掃除機。
【発明の詳細な説明】
【技術分野】
【０００１】
本発明は、電気掃除機に関し、特に電気掃除機の電源コードの冷却に関するものである。
【背景技術】
【０００２】
従来、この種の電気掃除機は、電気掃除機の電源コードを冷却する方法として、電動送風機の右側（電気掃除機の掃除機本体の進行方向を前方として右側）に本体隔壁で仕切られ電源コードを収納する電源コード収納室を設け、電動送風機の排気を電源コード収納室に流すことで電源コードの冷却を行っている（例えば、特許文献１参照）。
【先行技術文献】
【特許文献】
【０００３】
【特許文献１】特開平１０−１１７９７６号公報
【発明の概要】
【発明が解決しようとする課題】
【０００４】
しかしながら、前記特許文献１に記載されたような従来の電気掃除機の構成では、電動送風機の隣に電源コード収納室を配置し、排気を電源コード収納室に流すことで電源コードの冷却を行っているが、電動送風機の右側に電源コード収納室を配置するために、電動送風機からの風を右側に導くような構造となっており、電動送風機からの排気が循環し難く冷却効率が悪いという課題があった。また、電動送風機からの排気を循環し易くするために電動送風機周辺の空間を大きくすると、電気掃除機の大きさが大きくなるという課題を有していた。
【０００５】
本発明は、前記従来の課題を解決するもので、電気掃除機の大きさを冷却風の通路のために大きくすることなく、電動送風機の排気を電源コード収納室に導き、電源コードを効率的に冷却することができる電気掃除機を提供することを目的とする。
【課題を解決するための手段】
【０００６】
前記従来の課題を解決するために、本発明の電気掃除機は、
掃除機本体の前方に設けた集塵室と、掃除機本体の後方に設けた電動送風機および電源コードを収納する電源コード収納室と、前記掃除機本体の外郭の後方の一部に形成した排気口とを備え、前記電動送風機と前記電源コード収納室と前記排気口を順番に前方から後方に向けて略直線上に配置すると共に、前記電動送風機と前記電源コード収納室を仕切る本体隔壁に前記電動送風機と前記電源コード収納室を連通する孔を複数形成し、前記電動送風機からの排気風が前記孔と、前記電源コード収納室を経て前記排気口から外部に排出されるようにしたもので、電動送風機の排気流をスムーズに電源コード収納室へと流すことができ、排気流を滞留させることなく流し、電源コードをより効果的に冷却することができる。
【発明の効果】
【０００７】
本発明によれば、電気掃除機の掃除機本体を大きくすることなく、電源コードをより効果的に冷却することができる電気掃除機を提供することができる。
【図面の簡単な説明】
【０００８】
【図１】本発明の実施の形態１における電気掃除機の掃除機本体の外観側面図
【図２】同掃除機本体の中央縦断面図
【図３】図１のＡ−Ａ断面図（空気気流の流れを説明する図）
【図４】図１のＢ−Ｂ断面図（空気気流の流れを説明する図）
【発明を実施するための形態】
【０００９】
第１の発明は、掃除機本体の前方に設けた集塵室と、掃除機本体の後方に設けた電動送風機および電源コードを収納する電源コード収納室と、前記掃除機本体の外郭の後方の一部に形成した排気口とを備え、前記電動送風機と前記電源コード収納室と前記排気口を順番に前方から後方に向けて略直線上に配置すると共に、前記電動送風機と前記電源コード収納室を仕切る本体隔壁に前記電動送風機と前記電源コード収納室を連通する孔を複数形成し、前記電動送風機からの排気風が前記孔と、前記電源コード収納室を経て前記排気口から外部に排出されるようにしたもので、電動送風機の排気流をスムーズに電源コード収納室へと流すことができ、排気流を滞留させることなく流し、電源コードをより効果的に冷却することができる。
【００１０】
第２の発明は、特に、第１の発明の電源コード収納室に電源コードを巻き取るためのコード巻取り装置を設け、前記コード巻取り装置の回転軸と電動送風機の中心軸とを平行に配置したもので、掃除機の大きさを大きくすることなく、電源コードを効果的に冷却できる。
【００１１】
第３の発明は、特に、第１または第２の発明の本体隔壁に形成した複数の孔の配列を、本体隔壁の下側よりも上側に多く配列させたもので、電動送風機の排気は、温度が高いものほど上方に流れるが、本体隔壁の上側は下側に比べ、孔面積の総和による開口面積が大きく、上側の排気流路が大きくなるため、排熱効率が高くなり、電源コードをより効率よく冷却することができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における電気掃除機の掃除機本体の外観側面図、図２は、同掃除機本体の側面断面図、図３は、図１のＡ−Ａ断面図（空気の流れを説明する図）、図４は、図１のＢ−Ｂ断面図（空気の流れを説明する図）である。
【００１４】
以下、図１〜図４を用いて説明する。図１〜図３に示すように、本実施の形態における電気掃除機の掃除機本体１の前部に塵埃を収納するための集塵袋８を備えた集塵室２を、その後方には塵埃を吸引するための電動送風機３を、さらにその後方には電源コード４を収納する電源コード収納室５を、さらにその後方に掃除機本体１の外郭の一部に形成した排気口６を掃除機本体１の前方から後方へ直線上に配置している。
【００１５】
このように、電動送風機３から排気口６までの排気流路の距離が短くなるように構成し、その排気流路上に電源コード収納室５を配置し、前記電動送風機３と電源コード収納室５を仕切っている本体隔壁７が電動送風機３と電源コード収納室５の間に配置されている。
【００１６】
そして、本体隔壁７には、電動送風機３と電源コード収納室５とを連通し、排気の通路となる複数の孔９ａ〜９ｄが構成されている。
【００１７】
以上のように構成された本実施の形態における電気掃除機について、その動作、作用を以下に説明する。
【００１８】
まず、電動送風機３によって外気と共に吸引された塵埃は、集塵室２内の集塵袋８に収納される。次に集塵袋８により塵埃を取り除かれた空気は、電動送風機３内部から本体隔壁７に設けた孔９ａ〜９ｄを介して電源コード収納室５を通り、排気口６から排出される。電源コード収納室５に収納されている電源コード４は、自己発熱により発熱するが、電源コード収納室５を通過する空気が電源コード４の表面から熱を奪い放熱することで効率的に電源コード４を冷却することができる。
【００１９】
さらに、電動送風機３と、本体隔壁７の孔９ａ〜９ｄと、電源コード収納室５と、排気口６を直線上に配置することで、電動送風機３内部から排出された空気は電源コード収納室５を通過し、排気口６へとスムーズに排出されるため、さらに効率的に電源コード４を冷却できる。
【００２０】
また、本実施の形態では、図４に示すように、本体隔壁７の上側に設けた孔９ａ、９ｂを、本体隔壁７の下側に設けた孔９ｃ、９ｄの数より多く設けている。
つまり、本体隔壁７に形成した複数の孔の配列を、本体隔壁７の下側よりも上側に多く配列させている。
【００２１】
以上のように構成された電気掃除機について、以下その動作、作用を説明する。
【００２２】
電動送風機３を通過した空気は、電動送風機３により温められて上昇する。本体隔壁７の上側に設けた孔９ａ、９ｂは、下側に設けた孔９ｃ、９ｄよりも多く形成されているため、本体隔壁７の上側は、下側に比べ、孔面積の総和による開口面積が大きくなるため、上昇した温かい空気から順に電源コード収納室５へと流れることになり、排熱効率が一層高くなり、効率的に電源コード４を冷却することができる。
【００２３】
なお、特に図示しないが、電源コード収納室５に電源コード４を巻き取るためのコード巻取り装置を設け、前記コード巻取り装置の回転軸と電動送風機３の中心軸とを平行に配置するようにすれば、掃除機本体１の大きさを大きくすることなく、電源コード４を効果的に冷却することができる。
【産業上の利用可能性】
【００２４】
以上のように、本発明にかかる電気掃除機は、効率的な電源コードの冷却が可能となるので、家庭用電気掃除機及び産業用電気掃除機の分野・用途に好適に適用することができる。
【符号の説明】
【００２５】
１  掃除機本体
２  集塵室
３  電動送風機
４  電源コード
５  電源コード収納室
６  排気口
７  本体隔壁
８  集塵袋
９ａ、９ｂ、９ｃ、９ｄ  孔
【図１】
2016052419.tif 000003
【図２】
2016052419.tif 000004
【図３】
2016052419.tif 000005
【図４】
2016052419.tif 000006